(57)【要約】【課題】画像処理装置等の装置に指示を入力するための操作装置に関し、ユーザに応じた操作画面を簡単に表示することができ、視覚障害者にとって操作が容易な操作装置及びそれを備えた画像処理装置を提供する。【解決手段】操作装置１２４は、キーを含む操作画面を表示し、キーの選択を検出し、突起部３０２及び複数の開口部を有する操作板３００が搭載され得るタッチパネルディスプレイ１２６と、操作板上の突起部の位置を検出する検出器２４０とを含み、操作板が搭載されたことを受けて、操作板上の突起部の位置を特定することにより操作板を特定し、特定された操作板に対応する操作画面を表示し、表示された操作画面に含まれるキーは、操作板の開口部を介して選択され得る。これにより、ユーザ毎の操作画面を簡単に表示することができ、視覚障害者にとって操作が容易な操作装置を実現することができる。【選択図】図７
2015094955.tif 000002
【特許請求の範囲】
【請求項１】
所定の装置に対する指示を入力するための操作装置であって、
指示を入力するためのキーを含む操作画面を表示する表示手段、及び、前記操作画面に含まれる前記キーの選択を検出する検出手段を含み、突起部及び複数の開口部を有する操作板が搭載され得る操作手段と、
前記操作板上の前記突起部の位置を特定する特定手段と、を含み、
前記特定手段は、前記操作板が前記操作手段に搭載されたことを受けて、前記操作板上の前記突起部の位置を特定することにより、前記操作板を特定し、
前記表示手段は、特定された前記操作板に対応する操作画面を表示し、
特定された前記操作板に対応して表示された前記操作画面に含まれるキーは、特定された前記操作板の開口部を介して選択され得ることを特徴とする操作装置。
【請求項２】
前記突起部の位置が相互に異なる操作板は、前記開口部の位置、形状及び数の少なくとも１つが相互に異なることを特徴とする、請求項１に記載の操作装置。
【請求項３】
前記特定手段は、前記表示手段の近傍の外部、又は、前記表示手段の内部に配置されることを特徴とする、請求項１又は２に記載の操作装置。
【請求項４】
１枚の前記操作板の複数の開口部は、形状が異なる開口部を含むことを特徴とする、請求項１から３の何れか１項に記載の操作装置。
【請求項５】
特定された前記操作板に対応する前記操作画面は、前記所定の装置の機能毎、又は、ユーザ毎の操作画面であることを特徴とする、請求項１から４の何れか１項に記載の操作装置。
【請求項６】
前記検出手段が、特定された前記操作板に対応する操作画面に含まれるキーの選択を検出したことを受けて、前記表示手段は、別の操作画面を表示し、
前記別の操作画面に含まれるキーは、特定された前記操作板の前記開口部を介して選択されることを特徴とする、請求項１から５の何れか１項に記載の操作装置。
【請求項７】
特定された前記操作板に対応する前記操作画面は、特定された前記操作板の１つの前記開口部を介して選択され得る複数のキーを含むことを特徴とする、請求項１から６の何れか１項に記載の操作装置。
【請求項８】
請求項１から７の何れかの操作装置を含む画像処理装置であって、
前記操作装置により、前記画像処理装置の機能に関する設定が行なわれることを特徴とする画像処理装置。
【発明の詳細な説明】
【技術分野】
【０００１】
本発明は、タッチパネルディスプレイに表示された操作画面を介して制御される、画像処理装置等の装置に指示を入力するための操作装置に関し、特に、ユーザに応じた操作画面を簡単に表示することができ、視覚障害者にとって操作が容易な操作装置及びそれを備えた画像処理装置に関する。
【背景技術】
【０００２】
電子機器である画像処理装置の１種として、複合機（ＭＦＰ（ＭｕｌｔｉＦｕｎｃｔｉｏｎ  Ｐｅｒｉｐｈｅｒａｌ））が知られている。ＭＦＰは、コピー、プリント、ファクシミリ（以下、ファクシミリをＦＡＸともいう）、及びスキャナ等、複数の機能を備える。ＭＦＰによって、ユーザは手軽にコピー、ＦＡＸ、及びプリント等を行なうことが可能になる。企業等では、ＭＦＰは多くの従業員によって共用され、ＭＦＰをネットワークに接続し、複数の端末装置（コンピュータ等）から使用することも行なわれている。また、ＭＦＰは、コンビニエンスストア等の公共空間にも設置され、コピー機能の提供に限らず、複合的なサービスがユーザに提供されている。
【０００３】
ＭＦＰに所定の機能を実行させるためには、実行条件の設定を行なうことが必要である。そのため、ＭＦＰでは、操作パネルにタッチパネルディスプレイを採用し、操作パネルに表示させる複数の設定画面に階層構造（操作キーによるリンク構造）を採用している。ユーザは設定画面を遷移させながら機能の実行条件を設定することができる。
【０００４】
ＭＦＰは多機能であり便利である反面、設定項目が多く、通常複数の画面遷移を行なうことが必要であり、表示される設定画面の内容は異なっており、操作が煩雑である。したがって、操作性の改善が種々検討されている。
【０００５】
例えば、下記特許文献１には、視覚障害者による操作性を改善するための入力装置が開示されている。この入力装置の操作パネルには複数のプレートが搭載され得る。複数のプレートは、相互に同じ位置に設けられた複数の開口部と、一辺（左側の辺）に設けられたタブとを有し、タブの位置は相互に異なる。操作パネルの一辺（左側の辺）近傍には、センサが配置され、センサは、操作パネルに搭載されたプレートのタブの位置を検出する。操作パネルに搭載されるプレートの枚数に応じて、タブの位置が異なるので、この入力装置は、センサによって検出されるタブの位置の組合せに応じた操作画面を表示することができる。
【先行技術文献】
【特許文献】
【０００６】
【特許文献１】特開２００８−１４０２４５号公報
【発明の概要】
【発明が解決しようとする課題】
【０００７】
複数のユーザがＭＦＰを共用していても、全てのユーザが同じように使用するとは限らない。通常、ユーザ毎によく使用する機能があり、操作パネルによく表示させる項目が異なる。そのようなユーザにとっては、常にスタート画面から画面遷移を繰返し、目的の設定画面を表示させて、設定行なうことは煩雑である問題がある。使用されたときの設定が記憶されるＭＦＰにおいては、必ずしもデフォルトに設定されている訳ではないので、設定を確認又はリセットし、所望の設定を行なってから実行させる必要があり、ユーザが煩雑に感じる場合がある。また、ユーザを特定した後に、操作が可能となるＭＦＰでは、ユーザＩＤを入力することで個人を特定しており、この操作には手間がかかる問題がある。
【０００８】
操作パネルにおいて、所望の機能の設定画面を簡単に表示させることができれば好ましい。また、視覚障害者にとって操作が容易な操作パネルであれば、より好ましい。
【０００９】
したがって、本発明は、ユーザに応じた操作画面を簡単に表示することができ、視覚障害者にとって操作が容易な操作装置及びそれを備えた画像処理装置を提供することを目的とする。
【課題を解決するための手段】
【００１０】
本発明の第１の局面に係る操作装置は、所定の装置に対する指示を入力するための操作装置である。この操作装置は、指示を入力するためのキーを含む操作画面を表示する表示部、及び、操作画面に含まれるキーの選択を検出する検出部を含み、突起部及び複数の開口部を有する操作板が搭載され得る操作部と、突起部及び複数の開口部が形成された操作板と、操作板上の突起部の位置を特定する特定部と、を含む。特定部は、操作板が操作部に搭載されたことを受けて、操作板上の突起部の位置を特定することにより、操作板を特定する。表示部は、特定された操作板に対応する操作画面を表示する。特定された操作板に対応して表示された操作画面に含まれるキーは、特定された操作板の開口部を介して選択され得る。
【００１１】
これにより、搭載される操作板に応じた操作画面を表示することができ、開口部によりキーの位置が容易に分かるので、視覚障害者であっても誤操作することなく、キー操作を行なうことが可能になる。
【００１２】
好ましくは、突起部の位置が相互に異なる操作板は、開口部の位置、形状及び数の少なくとも１つが相互に異なる。
【００１３】
より好ましくは、特定部は、表示部の近傍の外部、又は、表示部の内部に配置される。
【００１４】
さらに好ましくは、１枚の操作板の複数の開口部は、形状が異なる開口部を含む。
【００１５】
これにより、開口部の手触りが異なるので、視覚障害者の誤操作を低減することができる。
【００１６】
好ましくは、特定された操作板に対応する操作画面は、所定の装置の機能毎、又は、ユーザ毎の操作画面である。
【００１７】
より好ましくは、検出部が、特定された操作板に対応する操作画面に含まれるキーの選択を検出したことを受けて、表示部は、別の操作画面を表示し、別の操作画面に含まれるキーは、特定された操作板の開口部を介して選択される。
【００１８】
これにより、同じ操作板を搭載したまま、操作画面を遷移させて入力を行なうことが可能になる。
【００１９】
さらに好ましくは、特定された操作板に対応する操作画面は、特定された操作板の１つの開口部を介して選択され得る複数のキーを含む。
【００２０】
これにより、開口部の数を少なくすることができる。
【００２１】
本発明の第１の局面に係る操作装置は、上記の操作装置を含む画像処理装置である。この画像処理装置は、操作装置により、画像処理装置の機能に関する設定が行なわれる。
【発明の効果】
【００２２】
本発明によれば、操作装置は、搭載される操作板に応じた操作画面を表示することができる。例えば、操作板毎に表示させる操作画面の画像データを記憶しておけば、操作装置によって指示が入力される所定の装置の機能毎、又は、ユーザ毎の操作画面を表示することができる。
【００２３】
また、開口部によりキーの位置が容易に分かるので、視覚障害者であっても誤操作することなく、キー操作を行なうことができる。
【図面の簡単な説明】
【００２４】
【図１】本発明の第１の実施の形態に係る画像処理装置を示す斜視図である。
【図２】図１に示した画像処理装置の操作部を示す３面図である。
【図３】操作部に表示されるホーム画面を示す図である。
【図４】図１に示した画像処理装置の概略構成を示すブロック図である。
【図５】図１に示した画像処理装置において実行される、操作部に搭載される操作板に応じた画面を表示するためのプログラムの制御構造を示すフローチャートである。
【図６】操作板の一例を示す平面図である。
【図７】操作板が操作部に搭載される途中の状態を示す平面図である。
【図８】操作板が操作部に搭載された状態のタッチパネルディスプレイを示す平面図である。
【図９】図８において倍率キーがタッチされて表示画面が変更された状態のタッチパネルディスプレイを示す平面図である。
【図１０】行政サービス用の操作板が操作部に搭載された状態のタッチパネルディスプレイを示す平面図である。
【図１１】図１０において住民票の写しが選択されて表示画面が変更された状態のタッチパネルディスプレイを示す平面図である。
【図１２】タブの浮上りを抑制するための抑えが形成された操作部を示す正面図である。
【図１３】図６とは別の操作板を示す平面図である。
【図１４】図１３に示した操作板が搭載される操作部を示す平面図及び正面図である。
【図１５】図６及び図１３とは別の操作板を示す平面図である。
【図１６】本発明の第２の実施の形態に係る操作部に操作板が搭載され、ユーザに応じた画面が表示された状態のタッチパネルディスプレイを示す平面図である。
【図１７】本発明の第３の実施の形態に係る操作部に操作板が搭載された状態のタッチパネルディスプレイを示す平面図である。
【図１８】本発明の第４の実施の形態に係る操作部を構成する、操作板の検出機能を備えたタッチパネルディスプレイ示す平面図である。
【図１９】図１８に示したタッチパネルディスプレイに搭載される操作板を示す平面図である。
【発明を実施するための形態】
【００２５】
以下の実施の形態では、同一の部品には同一の参照番号を付してある。それらの名称及び機能も同一である。したがって、それらについての詳細な説明は繰返さない。
【００２６】
（第１の実施の形態）
本発明の第１の実施の形態に係る画像処理装置は、コピー機能、ファクシミリ機能、スキャナ機能、及びプリンタ機能等の複数の機能を備えたデジタル複合機である。図１を参照して、本実施の形態に係る画像処理装置１００は、原稿読取部１１６、画像形成部１１８、操作部１２４、給紙部１３０、及び排紙処理部１３２を備えている。操作部１２４は、タッチパネルディスプレイ１２６及び操作キー部１２８を備えている。タッチパネルディスプレイ１２６は、液晶パネル等で構成された表示パネルと、表示パネルの上に配置され、タッチされた位置を検出するタッチパネルとを含む。操作キー部１２８には、ハードウェアの機能キーが配置される。操作部１２４は、ユーザによる画像処理装置１００に対する指示等の入力を受付ける。
【００２７】
図２を参照して、操作部１２４は、上記したように、複数の機能キーを備えた操作キー部１２８と、ＬＣＤ（Ｌｉｑｕｉｄ  Ｃｒｙｓｔａｌ  Ｄｉｓｐｌａｙ：液晶ディスプレイ）等の表示パネルの上にタッチパネルが配置されたタッチパネルディスプレイ１２６とを備えている。操作キー部１２８には、ジョブ状況確認キー２０２、システム設定キー２０４、及びホームキー２０６が配置されている。操作キー部１２８には、これら以外のキーが配置されていてもよい。
【００２８】
タッチパネルディスプレイ１２６には、操作キー（ソフトウェアキー）及び種々の情報が表示される。ユーザは、タッチパネルディスプレイ１２６に表示されたキーを、表示パネルに重ねられたタッチパネル上で選択する（タッチパネル上の該当部分にタッチする）ことによって、画像処理装置１００の機能設定及び動作指示等ができる。
【００２９】
ジョブ状況確認キー２０２が押下されると、画像処理装置１００によるジョブの実行状況を示す情報が、タッチパネルディスプレイ１２６に表示される。システム設定キー２０４が押下されると、画像処理装置１００の初期設定を行なうための画面が、タッチパネルディスプレイ１２６に表示される。ホームキー２０６が押下されると、図３に示すようなホーム画面が、タッチパネルディスプレイ１２６に表示される。図３には、コピーキー、ファクスキー、プリントキー、Ｅ−Ｍａｉｌキー、及びスキャン保存キーが表示されている。各キーがタッチされると、各モードの基本画面が表示される。キャンセルキーがタッチされると、ホーム画面は消去され、図２の待機画面に戻る。
【００３０】
タッチパネルディスプレイ１２６の左側には、複数の検出器２４０〜２５０が配置されている。検出器２４０〜２５０は、例えば、機械式のモーメンタリスイッチであり、後述する操作板の種類を特定するために使用される。タッチパネルディスプレイ１２６の周囲の検出器２４０〜２５０近傍には、ガイド２２０及び２２２と、ストッパ２３０及び２３２とが配置されている。これらの機能に関しては後述する。
【００３１】
図４を参照して、画像処理装置１００は、画像処理装置１００全体を制御するＣＰＵ１０２と、プログラム等を記憶するためのＲＯＭ（Ｒｅａｄ  Ｏｎｌｙ  Ｍｅｍｏｒｙ）１０４と、揮発性の記憶装置であるＲＡＭ（Ｒａｎｄｏｍ  Ａｃｃｅｓｓ  Ｍｅｍｏｒｙ）１０６と、通電が遮断された場合にもデータを保持する不揮発性記憶装置であるＨＤＤ（Ｈａｒｄ  Ｄｉｓｋ  Ｄｒｉｖｅ）１０８とを備えている。ＲＯＭ１０４には、画像処理装置１００の動作を制御するのに必要なプログラム及びデータが記憶されている。
【００３２】
画像処理装置１００はさらに、画像処理部１２０、画像メモリ１２２、ＮＩＣ（Ｎｅｔｗｏｒｋ  Ｉｎｔｅｒｆａｃｅ  Ｃａｒｄ）１１２、及びバス１１４を備えている。ＣＰＵ１０２、ＲＯＭ１０４、ＲＡＭ１０６、ＨＤＤ１０８、ＮＩＣ１１２、原稿読取部１１６、画像形成部１１８、画像処理部１２０、画像メモリ１２２、操作部１２４は、バス１１４に接続されている。各部間のデータ（制御情報を含む）交換は、バス１１４を介して行なわれる。ＣＰＵ１０２は、バス１１４を介してＲＯＭ１０４からプログラムをＲＡＭ１０６上に読出して、ＲＡＭ１０６の一部を作業領域としてプログラムを実行する。即ち、ＣＰＵ１０２は、ＲＯＭ１０４に格納されているプログラムにしたがって画像処理装置１００を構成する各部の制御を行ない、画像処理装置１００の各機能を実現する。
【００３３】
ＮＩＣ１１２は、外部のネットワーク１４０に有線又は無線で接続され、画像処理装置１００がネットワーク１４０を介して外部装置と通信するためのインターフェイスである。画像処理装置１００は、ＦＡＸモデム（図示せず）を備えている。ＦＡＸモデムは、外部の電話回線（図示せず）に接続され、画像処理装置１００が電話回線を介して外部装置とＦＡＸ通信するためのインターフェイスである。
【００３４】
原稿読取部１１６は、画像を読取るためのＣＣＤ（Ｃｈａｒｇｅ  Ｃｏｕｐｌｅｄ  Ｄｅｖｉｃｅ：電荷結合素子）と、原稿台、自動原稿送り装置（ＡＤＦ）等にセットされた原稿を検知する原稿検知センサとを備え、原稿を読取って画像データを入力する。画像データは画像メモリ１２２に一時的に記憶される。画像処理部１２０は、読取った画像データに対して、種々の画像処理を実行する。画像形成部１１８は、画像データを記録紙に印刷する。画像データは、必要に応じてＨＤＤ１０８に記憶される。給紙部１３０は画像形成用の記録紙を保持する。
【００３５】
ＣＰＵ１０２は、操作部１２４に設けられたタッチパネルディスプレイ１２６及び操作キー部１２８のキーに対するユーザの操作を監視すると共に、タッチパネルディスプレイ１２６に画像処理装置１００の状態に関する情報等のユーザに通知すべき情報を表示する。
【００３６】
以下、画像処理装置１００が搭載している機能（コピー機能、プリンタ機能、スキャナ機能、及びファクシミリ機能）を実行する各モードについて簡単に説明する。
【００３７】
（コピーモード）
画像処理装置１００を複写機として利用する場合には、原稿読取部１１６によって読取られた原稿の画像データが、画像形成部１１８から複写物として出力される。
【００３８】
原稿読取部１１６に装備されたＣＣＤにより、読取位置にセットされた原稿の画像を電子的に読取ることができる。読取られた画像データは、画像メモリ１２２上に出力データ（印刷用データ）として完成された後、ＨＤＤ１０８に記憶される。原稿が複数ある場合には、この読取り動作及び記憶動作が繰返される。その後、操作部１２４から指示された処理モードに基づいて、ＨＤＤ１０８に記憶された画像データが適切なタイミングで順次読出されて画像メモリ１２２に送られる。そして、画像形成部１１８での画像形成のタイミングに合わせて、画像データは画像形成部１１８へと伝送される。
【００３９】
読取った画像データを複数枚印刷する場合にも、同様に出力データとしてページ単位でＨＤＤ１０８に記憶され、ＨＤＤ１０８から画像メモリ１２２に送られ、出力枚数の分だけ繰返し、画像形成のタイミングに合わせて画像形成部１１８へ伝送される。
【００４０】
給紙部１３０では、記録紙がピックアップローラによって引き出され、複数の搬送用ローラによって、画像形成部１１８まで搬送される。画像形成部１１８では、帯電された感光体ドラムを入力された画像データに応じて露光することにより、感光体ドラムの表面に、画像データに応じた静電潜像を形成する。感光体ドラム上の静電潜像部分にトナーを付着させた後、トナーによる画像を、転写ベルトを介して、搬送された記録紙に転写される。その後、記録紙は加熱及び加圧され（これにより記録紙に画像が定着される）、排紙トレイ１５２に排出される。
【００４１】
（プリンタモード）
画像処理装置１００をプリンタとして利用する場合には、ＮＩＣ１１２を介して受信した画像データが画像メモリ１２２等を介して画像形成部１１８から出力される。
【００４２】
ＮＩＣ１１２は、有線又は無線でネットワーク１４０と接続されており、ネットワーク１４０に接続されたコンピュータ等の端末装置から画像データを受信する。受信された画像データは、出力画像データとしてページ単位に画像メモリ１２２に送られた後、ＨＤＤ１０８に記憶される。そして、画像データは、再びＨＤＤ１０８から画像メモリ１２２に送られ、上記したコピーモードと同様に画像形成部１１８へと伝送され、画像形成が行なわれる。
【００４３】
（スキャナモード）
画像処理装置１００を、例えばネットワークスキャナとして利用する場合には、原稿読取部１１６において読取られた原稿の画像データを、ＮＩＣ１１２からネットワーク１４０を介してコンピュータ等の端末装置へ送信する。この場合にも、原稿読取部１１６に装備されたＣＣＤにより原稿を電子的に読取る。そして、読取られた原稿の画像データは、画像メモリ１２２上に出力データとして完成された後、ＨＤＤ１０８に記憶される。そして、画像データは、再びＨＤＤ１０８から画像メモリ１２２に送られ、操作部１２４を介して指定された送信先との通信を確立した上で、ＮＩＣ１１２から指示された送信先へと送信される。
【００４４】
（ファクシミリモード）
画像処理装置１００をファクシミリ装置として使用する場合、ファクシミリ装置からＦＡＸ受信したデータを、画像データとして画像メモリ１２２上に形成し、上記と同様に、ＨＤＤ１０８への記憶、画像形成部１１８による印刷を実行することができる。また、画像処理装置１００は、ＨＤＤ１０８から画像データを読出して、ＦＡＸ通信用のデータ形式に変換して、ＦＡＸモデム及び電話回線網を介して外部のファクシミリ装置に送信することができる。
【００４５】
画像処理装置１００は、ユーザが操作部１２４を操作してジョブの実行を指示するために、操作部１２４に操作板を搭載した場合、その操作板に応じた画面を表示する。以下、図５を参照して、この機能に関して具体的に説明する。
【００４６】
この機能を実現するためのプログラムは、画像処理装置１００の電源がオンされることにより起動される。なお、ユーザにより指定された処理（ジョブの実行等）を実行するプログラムは、本プログラムとは別に、本プログラムと並行して実行されるとする。また、検出器２４０〜２５０は、外力を受けるとオンし、外力を受けなくなるとオフに戻る機械式のモーメンタリスイッチであるとする。
【００４７】
ステップ４００において、ＣＰＵ１０２は、タッチパネルディスプレイ１２６に待機画面を表示し、操作を待受ける。例えば、図２に示したように、操作板のセット又はホームキー２０６の押下を促すメッセージを含む画像を表示する。
【００４８】
ステップ４０２において、ＣＰＵ１０２は、操作部１２４の機能キー２０２〜２０６及び検出器２４０〜２５０に対する操作があったか否かを判定する。操作があったと判定された場合、制御はステップ４０４に移行する。そうでなければ、制御はステップ４３２に移行し、ＣＰＵ１０２は、本プログラムを終了する指示を受けたか否かを判定する。終了の指示は、例えば、画像処理装置１００の電源スイッチのオフである。終了の指示を受けていると判定された場合、ＣＰＵ１０２は、本プログラムを終了する。そうでなければ、制御はステップ４０２に戻る。
【００４９】
ステップ４０４において、ＣＰＵ１０２は、ステップ４０２で検出した操作が、操作板のセットであるか否かを判定する。具体的には、ＣＰＵ１０２は、検出器２４０〜２５０の何れかがオンされたか否かを判定する。ＣＰＵ１０２は、検出器２４０〜２５０の何れかがオンされた場合、操作板がセットされたと判定し、制御はステップ４０６に移行する。そうでなければ、制御はステップ４２０に移行する。
【００５０】
ステップ４０６において、ＣＰＵ１０２は、セットされた操作板を特定する。操作部１２４に搭載される操作板は、図６に示すような形状である。操作板３００は、所定の厚さの平板であり、一辺（図６では左側の辺）の所定位置に突起部３０２が設けられている。操作板３００には、複数の開口部３０４が形成されている。操作板３００は、例えば透明な部材（例えば樹脂）で形成されている。
【００５１】
操作部１２４上のガイド２２０及び２２２は、断面Ｌ字状であり、ガイド２２０及び２２２とタッチパネルディスプレイ１２６の表示面とにより溝が形成されている（図２の左側面図参照）。操作板３００を操作部１２４に搭載するには、図７に示すように、操作板３００を、タッチパネルディスプレイ１２６の表示面に沿って右から左に移動させ（左向きの矢印参照）、ガイド２２０及び２２２とタッチパネルディスプレイ１２６の表示面とにより形成された溝に、操作板３００の上下の辺を挿入する。図７は、突起部３０２が検出器２４０の近傍に位置するまで操作板３３０が挿入された状態を示す。図７に示した状態では、表示部にはメッセージを含む待機画面（図２参照）が表示されているが、便宜上、メッセージは図示していない。操作板３００は、その左側端部がストッパ２３０及び２３２に当接するまで移動可能である。操作板３００の左側端部がストッパ２３０及び２３２に当接した状態では、突起部３０２は検出器２４０の上に位置し、これにより検出器２４０はオンする。ＣＰＵ１０２は、バス１１４を介して、検出器２４０がオンしたことを表す検出信号を取得することができる。
【００５２】
このようにして、ＣＰＵ１０２は、検出器２４０がオンしたことを検出すると、操作板３００がセットされたと判定することができる（ステップ４０４）。操作板には複数の種類があり、それぞれ突起部の位置が異なる。したがって、セットされる操作板の種類（突起部の位置）によって、検出器２４０〜２５０の何れかがオンし、該当する検出信号がＣＰＵ１０２に伝送される。例えば、突起部によって検出器２４０〜２５０の何れか１つのみがオンするように、突起部の幅が決定されていれば、図２の操作部であれば６種類の操作板を検出することができる。
【００５３】
ステップ４０８において、ＣＰＵ１０２は、ステップ４０６で特定された操作板に応じた操作画面をタッチパネルディスプレイ１２６に表示する。具体的には、予めＨＤＤ１０８には、操作板を特定する情報（以下、操作板ＩＤという）と、画面の画像データとが対応させて記憶されており、ＣＰＵ１０２は、特定した操作板ＩＤに対応する画像データをＨＤＤ１０８から読出し、操作部１２４に伝送する。操作部１２４は、伝送された画像データに基づき、タッチパネルディスプレイ１２６に画面を表示する。
【００５４】
操作板３００が操作部１２４に搭載された場合、例えば図８に示すようなコピーモードの基本画面が表示される。図８に示したように、基本画面の左側の列にはコピー条件を設定するための複数のキー２６０が配置され、中央の列には、コピー開始を指示するためのスタートキー、コピーの実行を停止させるためのストップキー、及び、コピーモードをキャンセルするためのキャンセルキーが配置されている。基本画面の右側には、テンキーが配置され、その上には、入力されたコピー部数を表示する欄が配置されている。Ｃキーは、入力されたコピー部数をクリアして、“１”に戻すためのキーである（コピー部数の表示も“１”に戻る）。図８において、左側の列に配置された各キーの右下に、設定されている内容が表示されている。
【００５５】
図８では、操作板３００が操作部１２４に搭載された状態で、複数の開口部３０４の各々に対応させて１つのキーが表示されている。したがって、ユーザは、各開口部を介して、対応するキーにタッチすることができる。
【００５６】
同様に、突起部の位置が異なる操作板が搭載された場合、検出器２４２〜２５０の何れかがオンされ、該当する画面（例えば、ファクス、プリント、Ｅ−Ｍａｉｌ、又はスキャンの基本画面）が表示される。
【００５７】
ステップ４１０において、ＣＰＵ１０２は、操作部１２４のタッチパネルディスプレイ１２６に対する操作があったか否かを判定する。操作があったと判定された場合、制御はステップ４１２に移行する。そうでなければ、ステップ４１０が繰返される。
【００５８】
ステップ４１２において、ＣＰＵ１０２は、キャンセルキー（図８参照）がタッチされたか否かを判定する。キャンセルキーがタッチされたと判定された場合、制御はステップ４１６に移行する。そうでなければ、制御はステップ４１４に移行し、ＣＰＵ１０２は、タッチされたキーに対応する処理を実行し、その後、制御はステップ４０８に戻る。
【００５９】
このように、ステップ４０８〜ステップ４１４が繰返されることによって、ユーザは、図８のキー２６０にタッチして、各コピー条件を設定することができる。例えば、図８に示した基本画面において、左側の列の中央に位置するコピー倍率の設定キーがタッチされた場合、図９に示す画面が表示される。図９の画面におけるキー配置は、図８の画面と同様になっている。したがって、図９の画面においても、ユーザは、操作板３００の開口部を介して、各キーにタッチすることができる。
【００６０】
図９の画面の左側の列には、コピー原稿及び記録紙のサイズで、コピー倍率を選択するための複数のキー２６２が配置されている。複数のキー２０６の何れかがタッチされると、対応する数値が、テンキーの上の倍率表示欄に表示される。コピー倍率は、テンキーにタッチすることにより、直接数値として入力することもできる。ＯＫキーがタッチされると、倍率が確定され、図９の画面が消去され、図８の画面が再度表示される。キャンセルキーがタッチされると、設定されている倍率を破棄し、図９の画面が消去され、図８の画面が再度表示される。なお、図９では、操作板３００の開口部３０６に対応するキーは表示されていない。
【００６１】
ステップ４１２でキャンセルキー（図８参照）がタッチされたと判定された場合、ステップ４１６において、ＣＰＵ１０２は、基本画面（図８参照）を消去し、操作部１２４に搭載されている操作板の除去を促すメッセージを表示する。
【００６２】
ステップ４１８において、ＣＰＵ１０２は、操作板が除去されたか否かを判定する。除去されたと判定された場合、制御はステップ４００に戻る。そうでなければ、ステップ４１８が繰返される。ＣＰＵ１０２は、検出器２４０〜２５０が全てオフになったことにより、操作板が除去されたと判定する。
【００６３】
ステップ４０４で操作板のセットではないと判定された場合、ステップ４２０においてホームキー２０６が押下されたか否かを判定する。ホームキー２０６が押下されたと判定された場合、制御はステップ４２２に移行する。そうでなければ、制御はステップ４３０に移行する。
【００６４】
ステップ４２２において、ＣＰＵ１０２は、ホーム画面（図３参照）をタッチパネルディスプレイ１２６に表示する。
【００６５】
ステップ４２４において、ＣＰＵ１０２は、操作部１２４のタッチパネルディスプレイ１２６に表示されているキー、機能キー２０２〜２０６、及び検出器２４０〜２５０に対する操作があったか否かを判定する。操作があったと判定された場合、制御はステップ４２６に移行する。そうでなければ、ステップ４２４が繰返される。
【００６６】
ステップ４２６において、ＣＰＵ１０２は、ステップ４２４で検出された操作が、キャンセルキー（図３参照）のタッチであるか否かを判定する。キャンセルキーのタッチであると判定された場合、制御はステップ４００に戻る。そうでなければ、制御はステップ４２８に移行する。
【００６７】
ステップ４２８において、ＣＰＵ１０２は、ステップ４２４で検出された操作に応じた処理を実行する。その後、制御はステップ４００に戻る。例えば、ホーム画面に表示されたコピーキー、ファクスキー、プリントキー、Ｅ−Ｍａｉｌキー、及びスキャン保存キーの何れかがタッチされた場合、各モードの基本画面が表示される。例えば、コピーキーがタッチされた場合、図８に示すような基本画面が表示される（但し、操作板３００は搭載されていない）。
【００６８】
なお、ステップ４２４では、ステップ４１０と異なり、機能キー２０２〜２０６、及び検出器２４０〜２５０に対する操作の有無も検出される。したがって、ステップ４２４における処理には、機能キー２０２又は２０４が押下された場合に該当する画面を表示する処理、及び、操作板が搭載された場合に該当する画面を表示する処理（ステップ４０６〜ステップ４１８）も含まれる。
【００６９】
ステップ４３０において、ＣＰＵ１０２は、ステップ４０２で検出された操作のうち、操作板のセット及びホームキーの押下以外の操作に対応する処理を実行する。その後、制御はステップ４００に戻る。
【００７０】
以上により、操作部１２４は、図２に示した待機状態において、操作板が操作部１２４に搭載されると、その操作板に応じた画面を、タッチパネルディスプレイ１２６に表示することができ、ユーザは操作板の開口部を介して、表示されたキーを操作することができる。突起部の位置が異なる複数の操作板のそれぞれに異なるモードの設定画面を対応させておけば、操作板を挿入するだけで、所定の基本画面を表示することができる。キー操作を、対応する開口部を介して行なうので、視覚障害者であってもキーの位置を容易に知ることができ、キー操作を容易に行なうことができる。
【００７１】
なお、操作板を搭載しない場合には、ホームキー２０６を押下してホーム画面を表示させた後、ホーム画面上のキーにタッチして機能（モード）を選択する必要があり、操作回数は増えるが、従来と同様に設定を行なうことができる。
【００７２】
上記では、操作部１２４に搭載される操作板に応じて画像処理装置１００の機能の設定画面を表示する場合を説明したが、画像処理装置１００が所定のサービスを提供する場合に操作板を使用してもよい。例えば、コンビニエンスストア等に設置された画像処理装置において、操作板が搭載された場合に、図１０に示すように、住民基本台帳に基づく行政サービスを提供する画面を表示してもよい。
【００７３】
図１０の画面は、ネットワークを介して、住民票の写し、及び印鑑登録証明書を取得するための画面である。図１０の画面には、左側の列に、住民票の写し又は印鑑登録証明書を選択するための２つのキーが配置され、中央にＯＫキー及びキャンセルキーが配置され、右側にテンキー及び暗証番号の表示欄が配置されている。図１０では、操作画面の各キーは、搭載された操作板３１０の開口部の位置に配置されている。
【００７４】
ユーザが、開口部を介して、左側の列の２つのキーの何れかにタッチし、暗唱番号をテンキーで入力した後、ＯＫキーにタッチすると、認証が行なわれる。ユーザがキャンセルキーにタッチした場合、図５のステップ４１６〜ステップ４１８と同様に、操作板３１０を除去することを促すメッセージが表示され、操作板３１０が除去されると、例えば図２に示した待機画面が表示される。
【００７５】
例えば、ユーザが住民票の写しのキーにタッチし、認証をパスすれば、図１１の画面が表示される。図１１の画面のキー配置は、図１０と同様である。各キーは、操作板３１０の開口部に位置している。図１１において、画面の左側の列には、住民票の写しの種類を選択するための３つのキーが表示されている。右側に表示されたテンキーにより、部数を入力することができる。中央に表示された、ＯＫキーがタッチされると条件が確定され、画像処理装置は確定された条件を、ネットワーク１４０を介して、例えば住基ネットワークシステムのサーバに送信し、サーバから該当するデータを取得して印刷する。キャンセルキーがタッチされた場合、図１１の画面が消去され、図１０の画面が再度表示される。
【００７６】
上記したように操作板は平板で形成されているので、その厚さ及び材質によっては、突起部が変形し、突起部で検出器２４０〜２５０を安定してオンさせることができない場合がある。その場合には、突起部の変形を抑制する部材を設けることが好ましい。例えば、図１２に示すように、突起部３０２が検出器２４０を確実にオンさせることができるように、突起部３０２の浮上りを抑制するための押さえ部２７０を設ければよい。実線で示したように、操作板３００の突起部３０２が、検出器２４０によって湾曲された状態から、操作板３００が左に移動すると、押さえ部２７０の傾斜面により突起部３０２の端部が検出器２４０側に押され、破線で示したように、突起部３０２の湾曲が修正され、突起部３０２により検出器２４０がオンされる。
【００７７】
上記では、突起部を含めて操作板全体が平板で形成されている場合を説明したが、これに限定されない。例えば、図１３に示すように、操作板３２０の表面から突起部３２２が突出した形状であってもよい。図１３のような突起部３２２を備えた操作板３２０が搭載される操作部においては、検出器は、例えば図１４に示すように、凹部内に配置されていればよい。６つの検出器２５２はそれぞれ凹部２８０の底部に配置され、操作板３２０が、操作部に搭載された場合、突起部３２２は凹部２８０に挿入され、突起部３２２により検出器２５２がオンされる。
【００７８】
上記では、操作板の開口部は、同様な形状に形成されている場合を説明したが、これに限定されない。例えば、図１５に示すように、１枚の操作板３３０において、少なくとも一部の開口部の形状を、その他の開口部の形状と異なる形状にしてもよい。このように、異なる形状の開口部を設けることにより、開口部に指で軽く触れてその手触りで開口部の形状を容易に判定することができる。したがって、開口部の形状に応じて、その開口部の下に位置するキーの意味を予め定めておけば、視覚障害者であっても、誤操作することなく操作することができる。
【００７９】
上記では、操作部が６つの検出器を備える場合を説明したが、これに限定されない。操作部が５つ以下、又は７つ以上の検出器を備えていてもよい。また、各操作板が突起部を１つ有している場合を説明したが、これに限定されない。２つ以上の検出器を同時にオンさせることができるように、２つ以上の突起部を有する操作板、又は、幅の広い突起部を有する操作板を用いてもよい。同時にオンされる検出器の組合せによって、より多くの操作板を区別することができる。
【００８０】
上記では、検出器として機械式のモーメンタリスイッチを用いる場合を説明したが、これに限定されない。検出器は、機械式のスイッチでなくてもよい。例えば、入射する光量を検出する光センサ等であってもよい。図６のような形状の操作板を用いる場合には、光センサが検知可能な波長の光が、突起部３０２により反射されるように突起部を形成すればよい。例えば、光センサが検知可能な波長に対して非透過性の材料で突起部を形成する、又は、光センサが検知可能な波長の光を反射するように突起部の表面を処理する。
【００８１】
上記では、タッチパネルディスプレイ１２６外部の左辺近傍に検出器２４０〜２５０を配置する場合を説明したが、これに限定されない。検出器を設ける位置は任意であり、タッチパネルディスプレイ外部の右辺近傍、上辺近傍、又は下辺近傍であってもよい。操作板に突起部を設ける位置は、操作部に設けた検出器の位置に応じて決定すればよい。
【００８２】
上記では、操作板全体が、可視光を透過する透明な部材で形成されている場合を説明したが、これに限定されない。開口部から、タッチパネルディスプレイの表示内容を確認できれば、操作板の全体、又は、一部が不透明であってもよい。
【００８３】
操作板の突起部が確実に検出器をオンさせるための機構は、図１２に示した機構に限定されない。突起部を、検出器側に変位させる機構であればよい。
【００８４】
また、上記では、画像処理装置の操作部に関して説明したが、これに限定されない。タッチパネルディスプレイに表示された操作画面によって操作される装置であれば、画像処理装置以外の装置であってもよい。
【００８５】
（第２の実施の形態）
第１の実施の形態の操作部においては、操作部により制御される画像処理装置の機能、又は画像処理装置が提供するサービスに応じて、操作板を用意する場合を説明したが、第２の実施の形態に係る操作部では、ユーザ毎に異なる操作板が用意される。
【００８６】
本実施の形態に係る画像処理装置は、第１の実施の形態に係る画像処理装置と同様に、図１〜図４のように構成され、図６に示した操作板が使用される。第１の実施の形態と異なる点は、操作部１２４に搭載される操作板３００に応じて、ユーザ毎の設定画面が表示される点である。
【００８７】
図７のように、操作部１２４に操作板３００が搭載され、突起部３０２によって検出器２４０がオンされると、例えば、図１６に示す画面が表示される。図１６の画面の上部には、ユーザ名と、コピーモードの基本画面であることを示す文字が表示されている。
【００８８】
第１の実施の形態で表示される図８の画面は、コピー条件にデフォルトが設定された状態を示している。即ち、左側の列に配置されたキーの右下には、デフォルトとして、原稿、コピー濃度、及び、出力用紙が自動に設定され、倍率が１００％に設定され、両面コピーは設定されていない（片面コピーが設定されている）ことが表示されている。これに対して、図１６の画面では、ユーザに応じたコピー条件が設定されており、例えば、そのユーザがよく使用するコピー条件が設定されている。即ち、左側の列のキーの右下には、原稿、コピー濃度、及び倍率が自動に設定され、両面コピーは設定されておらず（片面コピーが設定されている）、出力用紙はＡ４に設定されている。
【００８９】
このように、ユーザ毎に、よく使用する画像処理装置の機能、及びその機能を使用するときによく使用する設定に対応させて、操作板を用意しておけば、ユーザは、操作板を搭載するだけで、自分がよく使用する操作画面を直接表示させることが可能になり、設定を変更することなく、直ちにジョブを実行することができる。例えば、職場に設定された画像処理装置を複数の社員で共用している場合、各社員の業務内容に応じて、主として使用する機能が異なることがある。したがって、そのような場合に、ユーザ毎又は業務内容毎に突起部の位置が異なる操作板を用意すれば、ユーザは、操作部に操作板を搭載するだけで、よく使用する条件が設定された操作画面を直接表示させることが可能になり、効率的である。
【００９０】
また、画像処理装置によっては、最後に設定された条件が記憶され、設定を変更しなければそれが使用される。そのような画像処理装置においては、ユーザは、逐一設定を変更する煩雑な操作が必要になり、注意を怠ると、意図しない設定でジョブを実行してしまう可能性が高くなる。そのような画像処理装置においても、操作板を搭載するだけで、ユーザがよく使用する設定で、画像処理装置を作動させることができるので、操作ミスをなくすことができる。
【００９１】
（第３の実施の形態）
第１及び第２の実施の形態に係る操作部においては、表示されるキーは、操作板の１つの開口部に対応するが、第３の実施の形態に係る操作部では、複数のキーを１つの開口部に対応させる。
【００９２】
本実施の形態に係る画像処理装置は、第１の実施の形態に係る画像処理装置と同様に、図１〜図４のように構成されるが、操作部１２４に搭載される操作板の開口部と操作画面のキーとの対応関係が、第１の実施の形態とは異なる。
【００９３】
図７と同様に、操作部に操作板が搭載され、突起部によって検出器２４０がオンされると、例えば、図１７に示す画面が表示される。図１７の画面の上部には、コピーモードの基本画面であることを示す文字が表示されている。
【００９４】
図１７の操作板３１０は、図６の操作板３００と同じ位置に開口部が形成されているが、左側の列の開口部の大きさは、操作板３１０の方が大きく形成されている。操作板３３２において、左側の列の５つの開口部のそれぞれに対応して、複数のキーが表示されている。最上段、下から２つ目、及び最下段の開口部のそれぞれに対応して、３つのキーが表示されている。即ち、具体的な設定を行なうための２つのキー（例えばＡ４キー、Ｂ５キー）と、別の設定を行なうためのキーを表示させるためのキー（「次」キー）が表示されている。選択されたキーは、例えば反転表示される。上から２つ目及び３つ目の開口部のそれぞれに対応して、２つのキーと、それらの間に、設定値を表示する領域とが表示されている。また、中央の最上段の開口部に対応して、白黒コピー及びカラーコピーの実行を指示するキーが表示されている。
【００９５】
このように、１つの開口部に対応させて複数のキーを配置することによって、画面遷移の頻度を少なくすることができる。１つの開口部に対応させて複数のキーを配置する場合には、開口部内のキー配置により、誤操作を軽減することが好ましい。例えば、横長の開口部であれば左右に、縦長の開口部であれば上下に、円形の開口部であれば上下左右に、矩形の開口部であれば四隅の位置に、異なるキーを配置すれば、誤操作を軽減することができる。
【００９６】
（第４の実施の形態）
第１〜第３の実施の形態に係る操作部においては、操作板の突起の検出器をタッチパネルディスプレイの外部に配置したが、第４の実施の形態に係る操作部では、タッチパネルディスプレイ内に検出器を設ける。
【００９７】
本実施の形態に係る画像処理装置は、第１の実施の形態に係る画像処理装置と同様に、図１〜図４のように構成されるが、検出器の構成が異なり、使用される操作板も異なる。図１８を参照して、本実施の形態に係る操作部のタッチパネルディスプレイ３４０には、図２と同様のメッセージが表示されている。タッチパネルディスプレイの左側部分には、検出領域３４２が形成されている。タッチパネルディスプレイ３４０の周りには、図２と同様に、操作板を保持するガイド２２０及び２２２と、ストッパ２３０及び２３２が配置されている。
【００９８】
図１９を参照して、タッチパネルディスプレイ３４０を備えた操作部の上に搭載される操作板５００は、図６と同様に平板状であり、同様の開口部を備えている。一方、操作板５００は、図６とは異なり、全体形状が略長方形であり、突起部３０２の代りに、一方の面の、左辺の近傍に突起部５０２を有している。操作板５００は、突起部５０２がタッチパネルディスプレイ３４０のタッチパネルに当接するように、図７と同様にして操作部に搭載される。操作板５００の左辺がストッパ２３０及び２３２に当接すると、突起部５０２は、検出領域３４２の上に位置し、検出領域に外力を加える。ＣＰＵ１０２は、タッチパネルにより突起部５０２が当接している位置を検出することができる。したがって、突起部５０２の位置が異なる操作板を複数用意しておけば、検出領域３４２において検出された突起部５０２の位置に応じて異なる画面を、第１〜第３の実施の形態と同様に表示することができる。
【００９９】
上記では、タッチパネルディスプレイ上に検出領域を設け、突起部５０２によって押圧された位置を検出する場合を説明したが、これに限定されない。タッチパネルディスプレイの代わりに、光センサを内蔵した液晶パネルを使用し、この液晶パネルの所定領域を、操作板を特定するための検出領域としてもよい。その場合、操作板には、図１９の突起部５０２の代りに、光を遮蔽する部分を設ければよい。
【０１００】
上記では、タッチパネルディスプレイの左辺近傍に検出領域を設ける場合を説明したが、これに限定されない。検出領域の位置は、任意であり、例えば、タッチパネルディスプレイの右辺近傍、上辺近傍、又は下辺近傍等に設けてもよい。操作板の突起部の位置は、タッチパネルディスプレイに設けた検出領域の位置に応じて決定すればよい。
【０１０１】
第２〜第４の実施の形態においても、第１の実施の形態に関して説明したのと同様に、種々構成を変更して実施することができる。
【０１０２】
以上、実施の形態を説明することにより本発明を説明したが、上記した実施の形態は例示であって、本発明は上記した実施の形態に限定されるものではなく、種々変更して実施することができる。
【符号の説明】
【０１０３】
１００    画像処理装置
１０２    ＣＰＵ
１０４    ＲＯＭ
１０６    ＲＡＭ
１０８    ＨＤＤ
１１２    ＮＩＣ
１１４    バス
１１６    原稿読取部
１１８    画像形成部
１２０    画像処理部
１２２    画像メモリ
１２４    操作部
１２６、３４０    タッチパネルディスプレイ
１２８    操作キー部
１４０    ネットワーク
２２０、２２２    ガイド
２３０、２３２    ストッパ
２４０〜２５２    検出器
３００、３１０、３２０、３３０、３３２、５００    操作板
３０２、３２２、５０２    突起部
３０４、３０６    開口部
【図１】
2015094955.tif 000003
【図２】
2015094955.tif 000004
【図３】
2015094955.tif 000005
【図４】
2015094955.tif 000006
【図５】
2015094955.tif 000007
【図６】
2015094955.tif 000008
【図７】
2015094955.tif 000009
【図８】
2015094955.tif 000010
【図９】
2015094955.tif 000011
【図１０】
2015094955.tif 000012
【図１１】
2015094955.tif 000013
【図１２】
2015094955.tif 000014
【図１３】
2015094955.tif 000015
【図１４】
2015094955.tif 000016
【図１５】
2015094955.tif 000017
【図１６】
2015094955.tif 000018
【図１７】
2015094955.tif 000019
【図１８】
2015094955.tif 000020
【図１９】
2015094955.tif 000021